(57)【要約】【課題】  運転状態や異常内容を音声で報知するものにおいて、使用者がうるさいと感じたり、使用者に不快感を与えるようなことがない給湯器のリモコン装置を提供する。【解決手段】  給湯器１の運転を指示するための操作部９と、給湯器１の運転指示内容を表示する表示部１０と、給湯器１の運転状況や異常の内容を音声で報知する音声報知部１３とを備えた給湯器のリモコン装置において、時間帯を判別する時間帯判別手段７ａを備え、時間帯判別手段７ａが「夜間時間帯」であると判別した場合は、前記音声報知部１３による報知を制限もしくは停止するようにした。【選択図】  図２
2007255761.tif 000002
【特許請求の範囲】
【請求項１】
給湯器の運転を指示するための操作部と、給湯器の運転指示内容を表示する表示部と、給湯器の運転状況や異常の内容を音声で報知する音声報知部とを備えた給湯器のリモコン装置において、時間帯を判別する時間帯判別手段を備え、時間帯判別手段が判別する時間帯により前記音声報知部による報知を制限もしくは停止するようにしたことを特徴とする給湯器のリモコン装置。
【請求項２】
前記時間帯判別手段は、昼間時間帯と夜間時間帯とを判別し、時間帯判別手段が夜間時間帯と判別しているときは、前記音声報知部による報知を制限もしくは停止するようにしたことを特徴とする請求項１に記載した給湯器のリモコン装置。
【請求項３】
前記時間帯判別手段が夜間時間帯と判別しているときは、前記表示部による表示のみ行い、前記音声報知部による報知を制限もしくは停止するようにしたことを特徴とする請求項２に記載した給湯器のリモコン装置。
【請求項４】
前記音声報知部による報知の制限もしくは停止は、異常内容の伝達重要度が低い場合にのみ行うようにしたことを特徴とする請求項１〜３のいずれかに記載した給湯器のリモコン装置。
【発明の詳細な説明】
【技術分野】
【０００１】
本発明は、給湯器の運転を指示するための操作部と、給湯器の運転状況や異常等を音声で報知する音声報知部とを備えた給湯器のリモコン装置に関する。
【背景技術】
【０００２】
従来の給湯器のリモコン装置では、給湯器に異常が発生した場合に、リモコンの表示部にエラーコードを表示するとともに、音声報知部により異常の内容や修理方法または対処方法などを音声で報知するものがあった（例えば、特許文献１参照）。
【０００３】
【特許文献１】特開２０００−２８３５５５号公報
【発明の開示】
【発明が解決しようとする課題】
【０００４】
しかし、上記した従来のリモコン装置では、給湯器に異常が発生した場合に、異常の内容や修理方法または対処方法などを異常が発生した時に音声で報知するが、昼間時間帯あるいは夜間時間帯の有無に関係なく、また、異常内容の伝達重要度にも関係なく、異常が発生した時に即報知するようになっている。そのため、伝達重要度が低いものや、夜間時間帯での音声報知は使用者がうるさく感じる場合もあり、逆に使用者に不快感を与えることにもなるという問題点があった。
【０００５】
本発明は上記課題を解決するためになされたもので、音声報知を時間帯により制限もしくは停止させて、使用者がうるさく感じたり、使用者に不快感を与えるようなことがない給湯器のリモコン装置を提供することにある。
【課題を解決するための手段】
【０００６】
本発明の給湯器のリモコン装置は、給湯器の運転を指示するための操作部と、給湯器の運転指示内容を表示する表示部と、給湯器の運転状況や異常の内容を音声で報知する音声報知部とを備えた給湯器のリモコン装置において、時間帯を判別する時間帯判別手段を備え、時間帯判別手段が判別する時間帯により前記音声報知部による報知を制限もしくは停止するようにしたことを特徴としている。
【発明の効果】
【０００７】
本発明の給湯器のリモコン装置は、時間帯によって音声報知部から発生される音声報知を制限もしくは停止するので、例えば、夜間時間帯などに異常が発生した場合に、音声報知を制限もしくは停止させることで、使用者がうるさく感じるということもなくなり、使用者に不快感を与えることがない給湯器のリモコン装置を提供できる。
【発明を実施するための最良の形態】
【０００８】
実施の形態１．
以下、本発明の実施の形態１を、図面により詳細に説明する。
図１は、本発明の実施の形態１に係る給湯器の構成図である。
この実施の形態１に示す給湯器１は、図示のように、貯湯タンク２、給水源から貯湯タンク２内に水を供給するための給水管３、及び貯湯タンク２内で加熱された水を給湯栓（図示せず）に供給するための給湯管４、貯湯タンク２の外壁面に取り付けられた複数の温度センサよりなる残湯量センサ５ａ，５ｂ、貯湯タンク２内の水を加熱する発熱体６、制御部７、リモコン８で構成されている。
【０００９】
また、前記リモコン８には、給湯器１を運転可能な状態にするための運転スイッチ１１、貯湯タンク２内に沸き上げる湯温を設定する温度設定スイッチ１２などが設けられた操作部９と、設定温度や運転状態等を画面に表示する表示部１０と、給湯器１の運転状況や給湯器１に異常が発生した場合にその異常の内容を音声にて報知する音声報知部１３とを備える。
【００１０】
前記制御部７は、時間をカウントして昼間時間帯と夜間時間帯とを判別する時間帯判別手段７ａを備えており、残湯量センサ５ａ，５ｂ、運転スイッチ１１、温度設定スイッチ１２等から信号に基づき、発熱体６への通電等の制御を行うとともに、前記リモコン８の表示部１０による表示内容を制御する。さらに、前記制御部７は、前記時間帯判別手段７ａの時間帯判別結果に基づいてリモコン８の音声報知部１３による音声報知内容を制御する。
【００１１】
図２は、本発明の実施の形態１における異常内容報知の制御フローチャート、図３は、本発明の実施の形態１に係る給湯器１の音声報知内容の一覧である。
まず、制御部７は、給湯器１に音声報知を行う異常が発生しているかどうかを確認する（ステップＳ１）。給湯器１に音声報知を行う異常が発生している場合は、次に、時間帯判別手段７ａにより現在の時間帯を判別する（ステップＳ２）。時間帯判別手段７ａの判別結果が「昼間時間帯」である場合は、異常の内容を音声報知部１３により、音声で報知する（ステップＳ３）。例えば、給湯器１の沸き上げ温度高温異常の場合には、リモコン８の音声報知部１３は「沸き上げ温度が高いです」と音声で報知する。
【００１２】
一方、時間帯判別手段７ａの判別結果が「夜間時間帯」である場合は、前記音声報知部１３による現時点での音声報知を停止して（ステップＳ４）、ステップＳ１に戻り、このフローを繰り返す。そして、時間帯判別手段７ａの判別結果が「夜間時間帯」から「昼間時間帯」に切り換わった時点で音声報知部１３により異常の内容を音声で報知する（ステップＳ３）。
【００１３】
これにより、夜間時間帯では給湯器１に異常が発生しても、音声報知部１３による音声報知が停止されるので、使用者がうるさいと感じるようなことはなくなるので、使用者に不快感を与えることがない。
【００１４】
実施の形態２．
図４は、本発明の実施の形態２における異常内容報知の制御フローチャートである。
図２との相違点は、ステップＳ２とステップＳ３、Ｓ４との間にステップＳ２ａを追加している点のみであり、それ以外は同じである。
【００１５】
給湯器１の異常内容のうち、伝達重要度が高いかどうかを確認し（ステップＳ２ａ）、伝達重要度が高い場合は、夜間時間帯であっても異常内容を音声報知部１３により音声で報知する（ステップＳ３）。
一方、伝達重要度が低い場合は、前記音声報知部１３による音声報知を停止して（ステップＳ４）、ステップＳ１に戻り、このフローを繰り返す。そして、時間帯判別手段７ａの判別結果が「夜間時間帯」から「昼間時間帯」に切り換わった時点で音声報知部１３により異常の内容を音声で報知する（ステップＳ３）。
【００１６】
これにより、夜間時間帯では給湯器１に異常が発生しても、伝達重要度が低い異常内容であれば、音声報知部１３による音声報知が停止されるので、使用者がうるさいと感じるようなことはなくなるので、使用者に不快感を与えることがない。
【００１７】
実施の形態３.
図５は、本発明の実施の形態３である異常内容報知の制御フローチャートである。
図２との相違点は、ステップＳ４の後にステップＳ４ａを追加している点のみであり、それ以外は同じである。
【００１８】
時間帯判別手段７ａの判別結果が「夜間時間帯」である場合は、前記音声報知部１３による音声報知を停止し（ステップＳ４）、表示部１０に異常内容を示すエラーコードを表示して（ステップＳ４ａ）、ステップＳ１に戻り、このフローを繰り返す。そして、時間帯判別手段７ａの判別結果が「夜間時間帯」から「昼間時間帯」に切り換わった時点で音声報知部１３により異常の内容を音声で報知する（ステップＳ３）。
【００１９】
これにより、夜間時間帯では給湯器１に異常が発生しても、音声報知部１３による音声報知が停止されるので、使用者がうるさいと感じるようなことはなくなるので、使用者に不快感を与えることがない。また、異常の内容はリモコン８の表示部１０にエラーコードで表示されているので、一応、使用者に対しては視覚を通じて伝達可能である。
【００２０】
なお、上記実施の形態１〜３では、音声報知を停止する場合、その全部を停止する場合について説明したが、本発明は実施の形態１〜３に示したものに限定されるものではなく、音声報知の停止は一部を停止するように制限してもよく、また、音声報知は異常内容報知に限らず、運転内容報知等でもよく、発明の主旨を変えない範囲内で、適宜変更は可能である。
【図面の簡単な説明】
【００２１】
【図１】本発明の実施の形態１に係る給湯器の構成図
【図２】本発明の実施の形態１における異常内容報知の制御フローチャート
【図３】本発明の実施の形態１における音声報知内容の一覧
【図４】本発明の実施の形態２における異常内容報知の制御フローチャート
【図５】本発明の実施の形態３における異常内容報知の制御フローチャート
【符号の説明】
【００２２】
１…給湯器
２…貯湯タンク
７…制御部
７ａ…時間帯判別手段
８…リモコン
９…操作部
１０…表示部
１１…運転スイッチ
１２…温度設定スイッチ
１３…音声報知部
【図１】
2007255761.tif 000003
【図２】
2007255761.tif 000004
【図３】
2007255761.tif 000005
【図４】
2007255761.tif 000006
【図５】
2007255761.tif 000007